(57)【特許請求の範囲】
【請求項１】
リール本体に回転可能に支持されたスプール前方の左右側板間に設置され、ハンドルの巻き取り操作によって左右往復動されるスライダ本体と、
前記リール本体のスプール下方に一端部が回動可能に支持され、他端部に釣糸を案内するラインガイドが設けられた揺動体と、
を備えた釣糸案内装置を有しており、
前記揺動体は、前記スライダ本体に対して連結部を介して連結され、前記ラインガイドを左右弧状に往復動させ、
前記ラインガイドは、上向きに開口を有する釣糸案内部と、前記釣糸案内部の上方の両外側に延設され、それぞれの先端が左右側板に対して移動可能に係合される係合部と、を有し、
前記リール本体の左右側板には、釣糸の放出方向に沿って延出し、前記ラインガイドの左右の係合部がそれぞれ係合する長溝が形成されており、
前記揺動体が揺動した際、前記それぞれの長溝に係合される左右の係合部は、反対方向に移動可能に支持されていることを特徴とする魚釣用リール。
【発明の詳細な説明】
【技術分野】
【０００１】
本発明は、スプール前方の側板間に、スプールに釣糸を平行に巻回案内する釣糸案内装置（レベルワインド装置とも称する）を備えた魚釣用リールに関する。
【背景技術】
【０００２】
一般的に、上記したタイプの魚釣用リールは、ハンドルを巻き取り操作すると、スプールの前方に設置された釣糸案内装置のラインガイドが左右に往復動する。前記ラインガイドは、釣糸が挿通するように長孔又は丸孔に形成されているため、ハンドルの巻き取り操作に伴ってラインガイドが左右に往復動すると、釣糸は、ラインガイドを介して、回転するスプールに対して平行に巻回される。
【０００３】
ところで、釣糸放出操作時において、スプールから繰り出される釣糸は、スプールの左右方向に移動して上方に膨出しながらラインガイドを通して前方に放出されるため、ラインガイドとの間に発生する接触抵抗の影響を受けて飛距離が低下するという問題がある。
【０００４】
そこで、このような問題を解決するために、特許文献１には、ラインガイドを、上向きに開口する釣糸挿通部と、釣糸挿通部の上端にそれぞれ外側に向けて延設された水平状の釣糸案内部とで構成し、水平状の釣糸案内部の端部を、それぞれ側板に形成された弧状の嵌入穴に嵌合させた構成が開示されている。
【０００５】
このような構成のラインガイドによれば、釣糸挿通部の上方が開口しているため、釣糸放出時に、スプールの上方に膨出する釣糸との接触抵抗が軽減され、飛距離の低下を防止することが可能となる。
【特許文献１】特許第３４０３６１８号
【発明の開示】
【発明が解決しようとする課題】
【０００６】
上記した特許文献１に開示されている魚釣用リールの釣糸案内装置は、スプールの後方側の左右側板間に、左右往復動するスライダ本体を設けており、このスライダ本体に伝達杆を連結した構成となっている。前記伝達杆は、スプールの下方側において、スプールの後方から前方に掛けて延出しており、中央部がリール本体の下部（脚部）に回動可能に支持されている。
【０００７】
すなわち、前記伝達杆の後方側の端部が、スプール後方側においてスライダ本体と連結され、前方側の端部が、スプール前方側において前記ラインガイドと止着される構成のため、スプール後方の側板間にクラッチ切換部材を配置することができず、クラッチＯＦＦ後のサミング操作が伴う釣糸放出操作を容易に行えない、という問題がある。
【０００８】
また、リール本体のスプールの下方側に釣糸案内装置の伝達杆を設置し、スプールの前後方向に、ラインガイドとスライダ本体を振り分け設置しているため、リール本体が大型化するという問題がある。
【０００９】
本発明は、上記した問題に着目してなされたものであり、釣糸を放出する際の操作性に優れ、リール本体の小型化が図れる釣糸案内装置を備えた魚釣用リールを提供することを目的とする。
【課題を解決するための手段】
【００１０】
上記した目的を達成するために、本発明に係る魚釣用リールは、リール本体に回転可能に支持されたスプール前方の左右側板間に設置され、ハンドルの巻き取り操作によって左右往復動されるスライダ本体と、前記リール本体のスプール下方に一端部が回動可能に支持され、他端部に釣糸を案内するラインガイドが設けられた揺動体と、を備えた釣糸案内装置を有しており、前記揺動体は、前記スライダ本体に対して連結部を介して連結され、前記ラインガイドを左右弧状に往復動させ、前記ラインガイドは、上向きに開口を有する釣糸案内部と、前記釣糸案内部の上方の両外側に延設され、それぞれの先端が左右側板に対して移動可能に係合される係合部と、を有し、前記リール本体の左右側板には、釣糸の放出方向に沿って延出し、前記ラインガイドの左右の係合部がそれぞれ係合する長溝が形成されており、前記揺動体が揺動した際、前記それぞれの長溝に係合される左右の係合部は、反対方向に移動可能に支持されていることを特徴とする。
【００１１】
上記した構成によれば、釣糸案内装置を構成する、左右側板間で往復動されるスライダ本体と釣糸を案内するラインガイドは、スプールの前方側に配置されているため、スプール後方の側板間を、クラッチ切換操作及びサミングゾーンとして有効活用することができ、釣糸を放出する際の操作性を向上することが可能となる。また、上記した従来の構成のように、スプールの前後に、スライダ本体とラインガイドを振り分ける構成でないため、リール本体の小型化が図れるようになる。
【発明の効果】
【００１２】
本発明によれば、釣糸を放出する際の操作性に優れ、リール本体の小型化が図れる釣糸案内装置を備えた魚釣用リールが得られる。
【発明を実施するための最良の形態】
【００１３】
以下、図面を参照して、本発明に係る魚釣用リールの実施形態について具体的に説明する。
図１から図７は、本発明に係る魚釣用リールの第１の実施形態を示す図であり、図１は、リール本体の平面図、図２は、釣糸案内装置のラインガイドの構成を示す平面図、図３は、リール本体の側面図であり、クラッチ機構及び釣糸案内装置の概略構成を示す図（クラッチＯＮ状態）、図４は、リール本体の正面図、図５は、クラッチＯＦＦ状態を示すリール本体の側面図、図６は、クラッチＯＦＦ状態を示すリール本体の正面図、そして、図７は、ラインガイドの揺動状態を示す平面図である。
【００１４】
図１に示すように、魚釣用リールのリール本体１は、釣糸が巻回されるスプール５を回転可能に支持した左右側板２Ａ，２Ｂを備えている。ここで、「側板」とは、スプール５の両端側に位置する構造体が該当し、本実施形態では、各種部材が支持されるフレーム体を構成する左右フレーム２ａ，２ｂと、これら左右フレーム２ａ，２ｂに所定の空間をもって夫々装着される左右外側板（カバー体）３ａ，３ｂによって定義される。このため、左右フレームと左右外側板との間の内部空間には、例えば、駆動力伝達機構、クラッチ機構、バックラッシュ防止機構等が設置されるようになっている。なお、フレームと外側板の形状については、適宜変形することが可能であり、それらを構成する材料については限定されることはない。また、外側板のフレームに対する装着方法や装着位置についても、リール本体の構成等により、様々な方法を用いることが可能である。
【００１５】
前記左右フレーム２ａ，２ｂは、複数の支柱を介して一体化されており、その下方側の支柱には、釣竿のリールシートに装着されるリール脚６が設けられている。また、左右フレーム２ａ，２ｂ間には、軸受を介してスプール軸５ａが回転可能に支持されており、このスプール軸５ａに前記スプール５が装着されている。なお、スプール軸５ａを回転可能に支持する軸受は、フレーム部分に配設されていても良いし、外側板部分に配設されていても良い。
【００１６】
前記スプール５は、リール本体１の右側板２Ｂ側に設置されたハンドル８を回転操作することによって回転される。ハンドル８は、右外側板３ｂから突出したハンドル軸８ａの端部に取り付けられており、右外側板との間に介在された逆転防止機構（転がり式一方向クラッチ）によって、釣糸巻取方向にのみ回転可能となっている。
【００１７】
右フレーム２ｂと右外側板３ｂとの間には、ハンドル８の回転運動をスプール軸５ａ、及び後述する釣糸案内装置２０の螺軸２１に伝達する駆動力伝達機構１０、駆動力の伝達を継脱するクラッチ機構５０、更には、魚釣時にスプール５から釣糸が繰り出された際、スプール５にドラグ力を付与するドラグ機構等が収容されている。
【００１８】
前記駆動力伝達機構１０は、公知のように、ハンドル軸８ａに回転可能に支持された駆動歯車１１と、この駆動歯車１１に噛合するピニオン１２とを備えている。前記ピニオン１２は、スプール軸５ａと同軸上に設置されており、ピニオン軸１２ａに沿って軸方向に移動可能となっている。また、ピニオン１２の外周には、円周溝が形成されており、この円周溝に、後述するクラッチ機構５０のヨーク５７が係合して、ピニオン１２を軸方向に移動させるようになっている。すなわち、ピニオン１２が軸方向に移動することで、スプール軸５ａとの間で継脱がなされ、動力伝達状態（クラッチＯＮ）／動力遮断状態（クラッチＯＦＦ）に切り換えられるようになっている。
【００１９】
前記スプール５の左右側板間には、釣糸案内装置２０が配置されている。この釣糸案内装置２０は、左右側板間に回転可能に支持され、前記駆動力伝達機構１０を介して回転可能に駆動される螺軸２１を備えている。前記ハンドル軸８ａには、駆動歯車１１と隣接して入力ギヤ１１ａが設けられており、この入力ギヤ１１ａに、前記螺軸２１の端部に設置された歯車２１ａが噛合されている。
【００２０】
前記釣糸案内装置２０は、スプール５の前方の左右側板間に設置されて、ハンドル８の巻き取り操作によって左右往復動されるスライダ本体２２を備えている。スライダ本体２２は、前記螺軸２１と平行となるように左右側板間に支持されたガイド軸２３に対して回り止め保持されている。
【００２１】
前記螺軸２１の外周面には、螺旋溝２１ｂが形成されており、螺軸２１は、左右側板間に設置された筒体２５内に収容されている。筒体２５には、軸方向に延出する長孔２５ａが形成されており、前記螺旋溝２１ｂを軸方向に沿って部分的に露出させている。また、前記スライダ本体２２は、筒体２５を囲繞するように配置、形成されており、その内部に、前記長孔２５ａを介して螺旋溝２１ｂと係合する摺動子２６を保持している。なお、摺動子２６は、袋ナット２６ａによってスライダ本体２２に対して固定される。
【００２２】
これにより、スライダ本体２２は、螺軸２１が入力ギヤ１１ａによって回転駆動されることで、螺旋溝２１ｂに係合する摺動子２６を介して、ガイド軸２３に沿って左右往復動される。
【００２３】
また、前記釣糸案内装置２０は、釣糸が案内されるラインガイド３２が設けられた揺動体３０を備えている。
【００２４】
前記揺動体３０は、板状に構成されており、リール本体１のスプール５の下方側において、支持部３１を介して、その一端部が回動可能に支持されている。具体的には、図３に示すように、リール脚６の表面側で、好ましくは、スプール軸５ａよりも前方側となる位置で支持部３１を介して回動可能に支持されている。この場合、支持部３１は、揺動体３０をリール脚６に対して回動可能に固定する雄ネジ部材によって構成されている。
【００２５】
前記揺動体３０は、前方側に向けて略水平に延出する延出部３０ａと、延出部３０ａの先端で上方側に向けて屈曲形成された屈曲部３０ｂとを備えており、その屈曲部３０ｂの上端には、前記ラインガイド３２が設けられている。この場合、ラインガイド３２は、図に示すように、揺動体３０と一体形成されたものであっても良いし、別体として揺動体３０に一体化された構成であっても良い。
【００２６】
前記揺動体３０の屈曲部３０ｂの下面（ラインガイド３２の下面）には、下方に向けて突出する連結部３０ｃが形成されており、この連結部３０ｃは、前記スライダ本体２２に形成された長孔２２ａに係合されている。すなわち、揺動体３０とスライダ本体２２とは連結部３０ｃを介して連結された状態となっており、上記したように、スライダ本体２２が左右に往復動された際、揺動体３０は、支持部３１を回動中心として、その先端側（ラインガイド側）が円弧状に揺動されるようになっている。
【００２７】
前記ラインガイド３２は、フレーム構造となっており、図４に示すように、正面視した際、略Ｖ字状に形成されている。すなわち、ラインガイド３２は、上方が開口し、釣糸が挿通される釣糸案内部３２ａと、釣糸案内部３２ａの上方の両外側に延設され、それぞれの先端が左右側板２Ａ，２Ｂに対して移動可能に係合される係合部３２ｃ，３２ｄと、を有している。
【００２８】
前記釣糸案内部３２ａは、図３に示すように、側面視した際、後方側に傾斜するように立ち上げられており、更に、釣糸案内部３２ａの上端は、後方に向けて次第に広がるように傾斜したガイド部３２ｅ，３２ｆ（釣糸を釣糸案内部３２ａに誘導する機能を有する）となっている。そして、ガイド部３２ｅ，３２ｆの先端に、前記係合部３２ｃ，３２ｄが形成されている。
【００２９】
また、前記リール本体の左右側板（左右フレーム２ａ，２ｂ）の内側には、釣糸の放出方向に沿って延出し、ラインガイド３２の左右の係合部３２ｃ，３２ｄがそれぞれ係合する長溝２ｃ，２ｄが形成されている。この場合、揺動体３０が、支持部３１を回動中心として、上述したように円弧状に揺動されると、それぞれの長溝２ｃ，２ｄに係合される左右の係合部３２ｃ，３２ｄは、反対方向に移動するようになる。すなわち、左側の係合部３２ｃが、図７に示すように、後方側に移動すると、右側の係合部３２ｄは前方側に移動し、逆に、左側の係合部３２ｃが前方側に移動すると、右側の係合部３２ｄは後方側に移動して、ラインガイド３２の釣糸案内部３２ａは左右に円弧状に揺動するようになっている。
【００３０】
上述したクラッチ機構５０は、右フレーム２ｂに沿って回動可能に支持されたクラッチ駆動部材５１と、このクラッチ駆動部材５１を駆動するクラッチ切換部材（以下、切換部材とする）５２とを備えている。
【００３１】
本実施形態の切換部材５２は、クラッチ機構５０をＯＮ状態からＯＦＦ状態に切換操作すべく、スプール５の後方側で、左右側板２Ａ，２Ｂ間を横架するように配置された切り操作部５３と、クラッチ機構５０をＯＦＦ状態からＯＮ状態に切換操作すべく、左右側板２Ａ，２Ｂ上に配置された入り操作部５４とを備えており、これら切り操作部５３と入り操作部５４は、一体的に連結されている。
【００３２】
この場合、前記切換部材５２は、リール本体１（左右側板２Ａ，２Ｂ）に対して回動可能に支持されており、スプール後方側に配置された切り操作部５３を押圧操作（クラッチＯＦＦ操作）すると、入り操作部５４が回動して、前記ラインガイド３２の上方側を開放し（図５参照）、図５の状態で入り操作部５４を押下げ操作（クラッチＯＮ操作）することで、切り操作部５３が上昇して、図３に示す状態に戻るようになっている。
【００３３】
具体的に、前記切換部材５２を構成する入り操作部５４は、図１に示すように、スプール５を露出させて、その両サイドが左右両側板２Ａ，２Ｂの上面を覆うと共に、その前方が左右両側板を横架するような形状を有している。すなわち、入り操作部５４は、ＯＦＦ状態にあるクラッチ機構５０をＯＮ状態に切り換え操作するものであり、釣竿と共にリール本体１を握持、保持している側の手の指で簡単に切換操作が行え、或いは、それとは反対側の手をリール本体１に添えるような簡単な動作で切換操作が行えるよう、リール本体の左右側板２Ａ，２Ｂの上面側の広い範囲を覆って開閉可能に構成されている。
【００３４】
上記した構成により、釣糸案内装置２０のラインガイド３２は、上面から見た際（図１参照）、少なくともガイド部３２ｅ，３２ｆと、釣糸案内部３２ａの一部が、入り操作部５４によって覆われた状態となっている。
【００３５】
前記クラッチ駆動部材５１は、公知のように、右フレーム２ｂに対して回動可能に支持され、振り分けバネ５６によって、図３に示す動力伝達状態（クラッチＯＮ状態）と、図５に示す動力遮断状態（クラッチＯＦＦ状態）に振り分け保持されるようになっている。また、クラッチ駆動部材５１の表面には、前記ピニオン１２の円周溝に嵌合したヨーク５７と係合可能な一対のカム面５８が形成されている。
【００３６】
前記ヨーク５７の先端側は、右フレーム２ｂに突設された支持ピン５９によって保持されており、ヨーク５７は、各支持ピンに配設されたバネ部材（図示せず）によって常時、クラッチ駆動部材５１側に付勢された状態となっている。なお、図３は、ヨーク５７がバネ部材によってクラッチ駆動部材５１側に付勢された状態を示しており、このとき、ピニオン１２はスプール軸の端部に形成されている係合部に嵌合してクラッチＯＮ状態となっている。
【００３７】
前記クラッチ駆動部材５１の端部は、前記切り操作部５３と連結されており、図３の矢印に示すように、切り操作部５３が押下げ操作されると、クラッチ駆動部材５１は反時計回り方向に回動され、前記ヨーク５７を介して、ピニオン１２を、スプール軸の端部に形成されている係合部から離脱させる（クラッチＯＦＦ状態に切り換える）。また、この状態は、前記振り分けバネ５６によって保持されると共に、入り操作部５４は、上記したように回動し、図５及び図６に示すように、前記ラインガイド３２の釣糸案内部３２ａの上方側は開放される。
【００３８】
そして、入り操作部５４を押下げ操作することで、上記した逆の手順で、クラッチ駆動部材５１は、時計回り方向に回動され、クラッチＯＮ状態に復帰される。
【００３９】
なお、上記のように構成されたクラッチ機構５０には、クラッチＯＦＦ状態において、ハンドル８を巻き取り操作した際、自動的にクラッチ駆動部材５１をクラッチＯＮ状態の位置に復帰させる公知のクラッチ自動復帰機構６０が設けられている。
【００４０】
次に、上述したように構成される魚釣用リールの作用、及び効果について説明する。
図１から図４に示すクラッチＯＮ状態において、スプール５の後方側に位置する切換部材５２の切り操作部５３を押圧操作すると、クラッチ駆動部材５１は、反時計回りに回動され、振り分けバネ５６によって、図５に示す状態に保持される。このとき、クラッチ駆動部材５１の表面に形成されたカム面がヨーク５７を軸方向にシフトさせ、ピニオン１２をスプール軸から離脱させる（クラッチＯＦＦ状態）。また、切り操作部５３の押圧操作により、上記した切換部材５２の入り操作部５４の前方側は、左右側板２Ａ，２Ｂから上昇するように回動され、ラインガイド３２の釣糸案内部３２ａの上方側は開放される。
【００４１】
この状態で、スプール５はフリー回転可能状態となっており、キャスティング操作等により、釣糸は放出される。この場合、釣糸は、図５の点線ＳからＳ´に示すように、上方に向けて膨出する傾向となるが、上記したように、釣糸案内部３２ａの上方側は開放された状態となっているため、他物から接触抵抗を受けることが少なくなり、仕掛けの飛距離を低下させるようなことはない。
【００４２】
なお、前記入り操作部５４の裏面に、耐摩耗性を有すると共に、摺動抵抗の少ない部材（釣糸接触部材）５４Ａを取着しておくことが好ましい。このような釣糸接触部材５４Ａを取着しておくことで、釣糸放出時や釣糸巻き取り時に釣糸が接触しても、切れることを防止でき、かつ接触抵抗を更に軽減することが可能となる。
【００４３】
そして、釣竿と共にリール本体を握持、保持している手の指（主にサミング操作している親指）を、多少、前方、或いはサイドにずらして入り操作部５４を下方に押圧することで、クラッチ駆動部材５１は、図５に示す状態から時計回りに回動され、振り分けバネ５６によってクラッチＯＮ状態に復帰される。なお、クラッチＯＮ状態への復帰は、ハンドル８を巻き取り操作することで、前記クラッチ自動復帰機構６０によって行うことも可能である。
【００４４】
その後、ハンドル８を巻き取り操作することで、釣糸案内装置２０のラインガイド３２によって、釣糸はスプール５に対して平行に巻回される。
【００４５】
この場合、ハンドル８を巻き取り操作することで、上記した釣糸案内装置２０の螺軸２１は、ハンドル軸８ａに設けられた入力ギヤ１１ａ、及びこれに噛合する歯車２１ａを介して回転駆動される。
【００４６】
前記螺軸２１が回転駆動されることで、スライダ本体２２は、螺軸２１の外周面に形成された螺旋溝２１ｂと係合する摺動子２６を介して、ガイド軸２３に沿って左右往復動される。また、これに伴い、ラインガイド３２が設けられた揺動体３０は、スライダ本体２２が左右往復動されることで、スライダ本体２２に形成された長孔２２ａ及びそれに係合する連結部３０ｃを介して、リール本体１のスプール５の下方側に支持された支持部３１を中心として、その前方側が円弧状に揺動される。
【００４７】
このとき、上方が開口した釣糸案内部３２ａの上方の両外側に延設されたラインガイド３２の係合部３２ｃ，３２ｄは、左右フレーム２ａ，２ｂに形成された長溝２ｃ，２ｄ内で、互いに反対方向に移動するようになる。すなわち、ラインガイド３２の釣糸案内部３２ａが左右に円弧状に揺動した際、係合部３２ｃ，３２ｄは、前後方向で互いに反対方向に移動できるように支持されているため、釣糸案内部３２ａを安定して、左右に円弧状に揺動させることが可能となる。
【００４８】
この結果、釣糸は、ラインガイド３２の釣糸案内部３２ａに入り込んで、スプール５に対して平行に巻回される。なお、釣糸がスプール５に対して多少ふけても、釣糸は、後方に向けて次第に広がるように傾斜したガイド部３２ｅ，３２ｆによって釣糸案内部３２ａに向けて案内される。
【００４９】
以上のように構成された釣糸案内装置２０によれば、左右側板間で往復動されるスライダ本体２２と釣糸を案内するラインガイド３２が、スプール５の前方側に配置されているため、スプール後方の側板間を、切り操作部５３の設置領域にする等、クラッチ切換操作及びサミングゾーンとして有効活用することが可能となり、釣糸を放出する際の操作性を向上することが可能となる。また、スプール５の前後に、ラインガイド３２とスライダ本体２２を振り分ける構成でないため、リール本体１の小型化が図れるようになる。
【００５０】
この場合、揺動体３０の回動基端部となる支持部３１を、スプール軸５ａよりも前方側に設置しておくことで、リール本体１の上下方向を、より小型化することが可能となる。
【００５１】
また、上記した構成では、ラインガイド３２の釣糸案内部３２ａの上方側は、開口を有している（囲まれた形状になっていない）ため、釣糸放出時に接触抵抗が軽減され、仕掛けの飛距離を低下させることもない。特に、本実施形態では、釣糸案内部３２ａの上方側は、サムレストとして機能する部分（入り操作部５４）が、クラッチＯＦＦ時において回動し、釣糸案内部３２ａの上方側を広く開放するため、釣糸が接触する可能性がより低くなり、仕掛けの飛距離の低下をより効果的に防止することが可能となる。
【００５２】
また、本実施形態では、ラインガイド３２の係合部３２ｃ，３２ｄが、左右フレーム２ａ，２ｂに形成された長溝２ｃ，２ｄ内で、互いに反対方向に移動するように支持されているため、釣糸案内部３２ａを安定して左右に円弧状に揺動させることができ、更には、このような係合方法により、左右側板２Ａ，２Ｂの厚さを、極力、薄肉厚化してリール本体１を小型化することが可能となる。
【００５３】
さらに、本実施形態におけるラインガイド３２は、釣糸案内部３２ａ及びガイド部３２ｅ，３２ｆを、後方に向けて傾斜させた形状にしているため、リール本体１を上下方向により小型化することが可能となる。
【００５４】
図８は、本発明の第２の実施形態を示す平面図である。
上記した実施形態では、釣糸放出時に、ラインガイド３２の釣糸案内部３２ａの上方が開放されるように、クラッチ機構の入り操作部５４を回動可能に支持しているが、このような入り操作部５４を設置することなく、左右側板間に、通常のサムレスト７０を設置した構成であっても良い。
【００５５】
このような構成であっても、スライダ本体２２とラインガイド３２はスプール５の前方側に配置されるため、リール本体１の小型化が図れると共に、釣糸放出操作性の向上を図ることが可能となる。また、上記した実施形態と同様、釣糸案内部３２ａの上方を開口しておくことで、接触抵抗を軽減して、飛距離を向上することが可能となる。
【００５６】
以上、本発明の実施形態について説明したが、本発明は、上記した実施形態に限定されることはなく、種々変形することが可能である。上記した実施形態では、ラインガイド３２は、後方側に向けて傾斜する形状となっていたが、垂直方向に立ち上がるように形成されていても良い。また、揺動体３０の形状や、スライダ本体２２との係合方法についても適宜変形することが可能である。
【図面の簡単な説明】
【００５７】
【図１】本発明に係る魚釣用リールの第１の実施形態を示す平面図。
【図２】釣糸案内装置のラインガイドの構成を示す平面図。
【図３】リール本体の側面図であり、クラッチ機構及び釣糸案内装置の概略構成を示す図（クラッチＯＮ状態）。
【図４】リール本体の正面図。
【図５】クラッチＯＦＦ状態を示すリール本体の側面図。
【図６】クラッチＯＦＦ状態を示すリール本体の正面図。
【図７】ラインガイドの揺動状態を示す平面図。
【図８】本発明の第２の実施形態を示す平面図。
【符号の説明】
【００５８】
１  リール本体
２Ａ，２Ｂ  左右側板
２ａ，２ｂ  左右フレーム
３ａ，３ｂ  左右外側板
５  スプール
８  ハンドル
１０  駆動力伝達機構
２０  釣糸案内装置
２２  スライダ本体
３０  揺動体
３０ｃ  連結部
３２  ラインガイド
５０  クラッチ機構
５２  クラッチ切換部材
５３  切り操作部
５４  入り操作部
【図１】
0004928503.tif 000002
【図２】
0004928503.tif 000003
【図３】
0004928503.tif 000004
【図４】
0004928503.tif 000005
【図５】
0004928503.tif 000006
【図６】
0004928503.tif 000007
【図７】
0004928503.tif 000008
【図８】
0004928503.tif 000009